(57)【要約】      （修正有）【課題】設置される場所をロープの軸回りに出来るだけ明暗が生じないように照明することが可能なロープライト及び照明装置を提供する。【解決手段】第１の面３６と第２の面３８とが表裏をなすように設けられた帯状のベースフィルム４１と、ベースフィルム４１の第１の面３６上に対をなすように配置された第１の導電層４３と、第１の導電層４３に長手方向に間隔をあけて複数のＬＥＤが配置されてなる第１のＬＥＤ群３７と、ベースフィルム４１の第２の面３８上に対をなすように配置された第２の導電層４６と、第２の導電層４６に長手方向に間隔をあけて複数のＬＥＤが配置されてなる第２のＬＥＤ群と、ベースフィルム４１、第１の導電層４３、第２の導電層４６、第１のＬＥＤ群３７及び第２のＬＥＤ群を収容するように長手方向に中空を有する樹脂体と、を備える。【選択図】図３
0003225070.tif 000002
【実用新案登録請求の範囲】
【請求項１】
第１の面と第２の面とが表裏をなすように設けられた帯状のベースフィルムと、
前記ベースフィルムの前記第１の面上に対をなすように配置された第１の導電層と、
前記第１の導電層に長手方向に間隔をあけて複数のＬＥＤが配置されてなる第１のＬＥＤ群と、
前記ベースフィルムの前記第２の面上に対をなすように配置された第２の導電層と、
前記第２の導電層に長手方向に間隔をあけて複数のＬＥＤが配置されてなる第２のＬＥＤ群と、
前記ベースフィルム、前記第１の導電層、前記第２の導電層、第１のＬＥＤ群及び前記第２のＬＥＤ群を収容するように構成された長手方向に中空を有する樹脂体と、
を備える、ロープライト。
【請求項２】
前記第１のＬＥＤ群における複数のＬＥＤのそれぞれの配置位置は、前記第２のＬＥＤ群における複数のＬＥＤのそれぞれの対応する配置位置から長手方向にオフセットされている、請求項１に記載のロープライト。
【請求項３】
前記ベースフィルムは、第１の領域と第２の領域とが互いに隣り合うよう長手方向に沿って区分けされており、
前記第１の導電層は、前記第１の領域上に長手方向に間隔をあけて配置された短冊状の複数の配線部と、前記第２の領域上に長手方向に間隔をあけて配置された短冊状の複数の配線部と、を含んで構成され、
前記第１の領域上の隣り合う配線部同士の間隔が、前記第２の領域上の隣り合う配線部同士の間隔と長手方向にずれている、請求項１又は２に記載のロープライト。
【請求項４】
前記第１の導電層は、前記第１の領域上と前記第２の領域上に跨いで配置される別の配線部を含んで構成されている、請求項３に記載のロープライト。
【請求項５】
前樹脂体の長手方向に沿って配線される導線の対をさらに備え、
前記樹脂体が、対をなす前記導線を前記中空とは別の領域に埋設している、請求項１乃至４の何れか１項に記載のロープライト。
【請求項６】
請求項１乃至５の何れか１項に記載のロープライトと、
ＡＣ電源に接続可能でありＡＣ電流をＤＣ電流に変換する整流器を介在している電源接続用コードと、
を備え、
前記ロープライトが前記電源接続用コードに接続可能に構成されている、照明装置。
【考案の詳細な説明】
【技術分野】
【０００１】
本考案は、ロープライト及び照明装置に関する。
【背景技術】
【０００２】
夜間外において作業をする場合、トンネルや建物などの構造物内で作業をする場合、ＬＥＤによる照明装置を仮設している。そのような照明装置としてロープライトが使用されている。ロープライトは、特許文献１に記載されているように、長手方向に延びて可撓性を有するロープ本体と、このロープ本体の中空に設けられるフレキシブル基板と、フレキシブル基板に搭載される複数のＬＥＤとを備えて構成されている。
【先行技術文献】
【特許文献】
【０００３】
【特許文献１】特開２０１２-１５１０７８号公報
【考案の開示】
【考案が解決しようとする課題】
【０００４】
しかしながら、このようなロープライトは、複数のＬＥＤがフレキシブル基板の一方の面に間隔をあけて搭載されているため、ＬＥＤはフレキシブル基板の一方の面から外側に向けて光を照射するため、光の照射方向と逆向きの方向は照射方向と比べて明るくない。特に、ロープライトの両端を紐などで固定してロープライトの長手方向と直交する方向で３６０度にわたって照明する場合、その影響が大きい。
【０００５】
そこで、本考案では、設置される場所をロープの軸回りに出来るだけ明暗が生じないように照明することが可能なロープライト及び照明装置を提供することを目的とする。
【課題を解決するための手段】
【０００６】
本考案のコンセプトは次の通りである。
本考案の請求項１に係るロープライトは、第１の面と第２の面とが表裏をなすように設けられた帯状のベースフィルムと、前記ベースフィルムの前記第１の面上に対をなすように配置された第１の導電層と、前記第１の導電層に長手方向に間隔をあけて複数のＬＥＤが配置されてなる第１のＬＥＤ群と、前記ベースフィルムの前記第２の面上に対をなすように配置された第２の導電層と、前記第２の導電層に長手方向に間隔をあけて複数のＬＥＤが配置されてなる第２のＬＥＤ群と、前記ベースフィルム、前記第１の導電層、前記第２の導電層、第１のＬＥＤ群及び前記第２のＬＥＤ群を収容するように構成された長手方向に中空を有する樹脂体と、を備える。
本考案の請求項２に係るロープライトは、請求項１に記載のロープライトにおいて、前記第１のＬＥＤ群における複数のＬＥＤのそれぞれの配置位置は、前記第２のＬＥＤ群における複数のＬＥＤのそれぞれの対応する配置位置から長手方向にオフセットされている。
本考案の請求項３に係るロープライトは、請求項１又は２に記載のロープライトにおいて、前記ベースフィルムは、第１の領域と第２の領域とが互いに隣り合うよう長手方向に沿って区分けされており、前記第１の導電層は、前記第１の領域上に長手方向に間隔をあけて配置された短冊状の複数の配線部と、前記第２の領域上に長手方向に間隔をあけて配置された短冊状の複数の配線部と、を含んで構成され、前記第１の領域上の隣り合う配線部同士の間隔が、前記第２の領域上の隣り合う配線部同士の間隔と長手方向にずれている。
本考案の請求項４に係るロープライトは、前記第１の導電層は、前記第１の領域上と前記第２の領域上に跨いで配置される別の配線部を含んで構成されている。
本考案の請求項５に係るロープライトは、請求項１乃至４の何れか１項に記載のロープライトにおいて、前樹脂体の長手方向に沿って配線される導線の対をさらに備え、前記樹脂体が、対をなす前記導線を前記中空とは別の領域に埋設している。
本考案の請求項６に係る照明装置は、請求項１乃至５の何れか１項に記載のロープライトと、ＡＣ電源に接続可能でありＡＣ電流をＤＣ電流に変換する整流器を介在している電源接続用コードと、を備え、前記ロープライトが前記電源接続用コードに接続可能に構成されている。
【考案の効果】
【０００７】
本考案によれば、設置される場所をロープの軸回りに出来るだけ明暗が生じないように照明することができる。
【図面の簡単な説明】
【０００８】
【図１】図１は本考案の実施形態に係るロープライトを用いた照明装置を模式的に示す図である。
【図２】図２は図１におけるＩＩ−ＩＩ線に沿った断面を示す図である。
【図３】図３は図２に示すフレキシブル基板及びその周辺の拡大図である。
【図４】図４はフレキシブル基板の一方の面側の配線の一例を示す図である。
【図５】図５はフレキシブル基板の他方の側の配線の一例を示す図である。
【図６】図６はロープライト本体の両端近傍を示す図である。
【図７】図７は図１に示すロープライトと電源接続用コードとの接続用のコネクターを示す端面図である。
【図８】図８は本考案の実施形態に係る照明装置の使用状態を模式的に示す図である。
【考案を実施するための形態】
【０００９】
以下、図面を参照しながら、本考案の実施形態について詳細に説明する。図示する形態は幾つかの好ましい形態を示すものであり、本考案の範囲において適宜変更してもよい。
【００１０】
図１には本考案の実施形態に係るロープライト１０を用いた照明装置１が示されている。本考案の実施形態に係るロープライト１０を用いた照明装置１は、図１に示されているように、電源接続用コード２０と、一又は複数のロープライト本体３０と、ロープライト本体３０の先端を終端するキャップ４０とを含んで構成される。複数のロープライト本体３０のうち一つは、電源接続用コード２０に接続される。図１にはロープライト本体３０は一本を示しているが、ロープライト１０が必要となる長さを有するように複数本のロープライト本体３０が接続される。
【００１１】
電源接続用コード２０は、ＡＣ電源１００Ｖに接続されるものであり、プラグ２１と、プラグ２１に接続されるコード本体２２と、コード本体２２の中途に介在される整流回路２３と、コード本体２２の先端に設けられるコネクター２４とで構成されている。
【００１２】
ロープライト本体３０は、本体３１と、本体３１の両端にそれぞれ接続されるコネクター３２の対とで構成される。図２には図１のＩＩ-ＩＩ線に沿う断面が示されており、図３には図２のフレキシブル基板３５及びそれに搭載される素子や配線等が示されている。本体３１は、図２及び図３に示されているように、透光性樹脂で長手方向に中空を有する樹脂部３３と、樹脂部３３の中空３４に収容されたフレキシブル基板３５と、フレキシブル基板３５の第１の面３６側に配置された第１のＬＥＤ群３７と、フレキシブル基板３５の第２の面３８側に配置された第２のＬＥＤ群３９と、を含んで構成されている。第２のＬＥＤ群３９については後述する図５を参照されたい。
【００１３】
樹脂部３３は、図２に示されているように、略矩形状で角が丸みの断面形状を有しており、中心軸上に略矩形状で内周の角が丸みの断面の中空３４を有している。中空３４は、断面が長方形状の第１の中空３４ａと、第１の中空３４ａの高さよりも高さが低く第１の中空３４ａから左右に即ち＋ｙ方向及び−ｙ方向に張り出した第２の中空３４ｂとを有しており、中空３４は、第２の中空３４ｂの上下に第１の中空３４ａが設けられてそれらが一体として構成されている。樹脂部３３は、透光性を有する樹脂で構成されていればよく、例えばポリ塩化ビニール樹脂、ポリカーボネート樹脂などで形成されている。第１の中空３４ａは、第１のＬＥＤ群３７及び第２のＬＥＤ群の各ＬＥＤへの通電により発生する熱を逃がすためのものである。
【００１４】
フレキシブル基板３５は、図３に示されているように、表裏をなすように第１の面３６と第２の面３８とを有する帯状のベースフィルム４１と、ベースフィルム４１の第１の面３６に設けられた第１の接着層４２と、第１の接着層４２に設けられた第１の導電層４３と、第１の導電層４３に設けられた第１の絶縁層４４と、ベースフィルム４１の第２の面３８に設けられた第２の接着層４５と、第２の接着層４５に設けられた第２の導電層４６と、第２の導電層４６に設けられた第２の絶縁層４７を含んで構成されている。第１の接着層４２及び第２の接着層４５は、第１の導電層４３及び第２の導電層４６よりも抵抗が高く導電性が悪いことが好ましい。第１の絶縁層４４は、第１の導電層４３のほか第１の接着層４２及びベースフィルム４１を被覆してもよい。第２の絶縁層４７は、第２の導電層４６のほか第２の接着層４５及びベースフィルム４１を被覆してもよい。
【００１５】
ベースフィルム４１は、ＰＥＴなどの高分子材料でなり、可撓性を有しており、第１の接着層４２及び第２の接着層４５は、例えば、Ｓｉを含むシリコン系の粘着材又は接着材が塗布されることで構成されている。第１の導電層４３及び第２の導電層４６は、Ｃｕなどの金属で構成されている。第１の絶縁層４４及び第２の絶縁層４７は、ポリイミドなどの絶縁性高分子材料が塗布されることで構成されている。
【００１６】
図４にはフレキシブル基板３５の一方の面側の配線の一例が示されている。第１の導電層４３は所定の配線パターンを有する。図４に示されているように、ベースフィルム４１上の第１の接着層４２は、長手方向（Ｚ方向）に沿って第１の領域４８と、第１の領域４８に隣り合って長手方向に延びる第２の領域４９とに分かれている。配線パターンは、短冊状の配線部５０としての第１の配線部５１から第５の配線部５５までが繰り返されている。繰り返しパターンは、第１の領域４８のみに設けられる第１の配線部５１及び第２の配線部５２と、第２の領域４９のみに設けられる第３の配線部５３及び第４の配線部５４と、途中で第１の領域４８と第２の領域４９とに跨ぐように傾斜しており一端が第２の領域４９に設けられ他端が第１の領域４８に設けられる第５の配線部５５と、を有する。第１の配線部５１の一端部は、第５の配線部５５の他端部に長手方向で向かい合っている。第１の配線部５１の他端部は、第２の配線部５２の一端部に長手方向に沿って向かい合っている。第２の配線部５２の他端部は、第５の配線部５５の傾斜部５５ａに長手方向に沿って向かい合っている。第３の配線部５３の一端部は、第５の配線部５５の傾斜部５５ａに長手方向に沿って向かい合っている。第３の配線部５３の他端部は、第４の配線部５４の一端部に長手方向に沿って向かい合っている。第４の配線部５４の他端部は、第５の配線部５５の一端部に長手方向で向かい合っている。第１の配線部５１の一端、他端、第２の配線部５２の一端、他端のそれぞれは、第３の配線部５３の一端、他端、第４の配線部５４の一端、他端の対応するそれぞれとは、長手方向にずれており、オフセットの位置となっている。第５の配線部５５の傾斜部５５ａと対向する第３の配線部５３の一端部、第２の配線部５２の他端部は、その傾斜部５５ａに沿って傾斜している。
【００１７】
第１の導電層４３の配線パターンには、図３及び図４に示されているように、長手方向に沿って間隔をあけて複数のＬＥＤ３７ａが配置されている。第１の導電層４３に配置されている複数のＬＥＤ３７ａを第１のＬＥＤ群３７と呼ぶことにする。第１のＬＥＤ群３７は、図４に示されているように、第１の領域４８と第２の領域４９とにその端が接続されるように長手方向に交差するよう例えば垂直に配置される。第１のＬＥＤ群３７は、第１の配線部５１と第４の配線部５４にその端が配置されるＬＥＤ３７ｂと、第２の配線部５２と第５の配線部５５にその端が配置されるＬＥＤ３７ｃと、第３の配線部５３と第５の配線部５５にその端が配置されるＬＥＤ３７ｄとを有しており、それらが繰り返されている。
【００１８】
第１の導電層４３の配線パターンには、図４に示されているように、長手方向に沿って間隔をあけて複数の抵抗素子６１ａが配置されている。第１の導電層４３に配置されている複数の抵抗素子６１ａを第１の抵抗群６１と呼ぶことにする。第１の抵抗群６１は、図４に示されているように、第１の領域４８と第２の領域４９とにその端が配置されるように長手方向に交差するように例えば垂直に配置される。第１の抵抗群６１は、第２の配線部５２と第５の配線部５５にその端が配置される抵抗素子６１ｂと、第１の配線部５１と第３の配線部５３にその端が配置される抵抗素子６１ｃと、第２の配線部５２と第４の配線部５４にその端が配置される抵抗素子６１ｄとを有しており、それらが繰り返されている。
【００１９】
このように、第１の導電層４３の配線パターンには、第１のＬＥＤ群３７のＬＥＤ３７ａと第１の抵抗群６１の抵抗素子６１ａとが例えば交互に配置され、全体として、ＬＥＤ３７ａと抵抗素子６１ａとが交互に直列に接続されている。
【００２０】
第２の導電層４６は所定の配線パターンを有する。図５にはフレキシブル基板３５の他方の面側の配線の一例が示されている。図５に示されているように、ベースフィルム４１上の第２の接着層４５は、長手方向（Ｚ方向）に沿って第１の領域４８と、第１の領域４８に隣り合って長手方向に延びる第２の領域４９とに分かれている。配線パターンは、第１の領域４８に長手方向に間隔をあけて設けられる複数の第１の配線部７１と、第２の領域４９に長手方向に間隔をあけて設けられる複数の第２の配線部７２と、を有するように構成されている。第１の配線部７１のそれぞれは第２の配線部７２の対応するそれぞれに対してオフセットされて配置されており、第１の配線部７１の両端は、横方向（Ｙ方向）に見て、第２の配線部７２の中途となるように配置されている。同様に、第２の配線部７２の両端は、横方向（Ｙ方向）に見て、第１の配線部７１の中途となるように配置されている。第１の配線部７１の両端、第２の配線部７１の両端は、長手方向に垂直になっておらず、傾斜している。第１の配線部７１、第２の配線部７２を総称して配線部５０とする。
【００２１】
第２の導電層４６の配線パターンには、長手方向に沿って間隔をあけて複数のＬＥＤ３９ａが配置されている。第２の導電層７２に配置されている複数のＬＥＤ３９ａを第２のＬＥＤ群３９と呼ぶことにする。第２のＬＥＤ群３９は、図５に示されているように、第１の領域４８と第２の領域４９とにその端が接続されるように長手方向に交差するように例えば垂直に配置される。第２のＬＥＤ群３９は、各第１の配線部７１の一端部と各第２の配線部７２の他端部にその端が配置されたＬＥＤ３９ａで構成されている。
【００２２】
第２の導電層４６の配線パターンには、長手方向に沿って間隔をあけて複数の抵抗素子７３ａが配置されている。第２の導電層４６に配置されている複数の抵抗素子７３ａを第２の抵抗群７３と呼ぶことにする。第２の抵抗群７３ａは、図５に示されているように、第１の領域４８と第２の領域４９とにその端が配置されるように長手方向に交差するように例えば垂直に配置される。第２の抵抗群７３は、各第１の配線部７１の他端部と各第２の配線部７２の一端部にその端が配置された抵抗７３ａとで構成されている。
【００２３】
このように、第２の導電層４６の配線パターンには、第２のＬＥＤ群３９のＬＥＤ３９ａと第２の抵抗群７３の抵抗素子７３ａとが交互に配置され、全体として、ＬＥＤ３９ａと抵抗素子７３ａとが交互に直列に接続されている。
【００２４】
本考案の実施形態においては、図２、図３、図４及び図５に示すように、第１の面３６と第２の面３８とが表裏をなすように設けられた帯状のベースフィルム４１と、ベースフィルム４１の第１の面３６上に対をなすように配置された第１の導電層４３と、第１の導電層に長手方向に間隔をあけて複数のＬＥＤ３７ａが配置されてなる第１のＬＥＤ群３７と、ベースフィルム４１の第２の面３８上に対をなすように配置された第２の導電層４６と、第２の導電層４６に長手方向に間隔をあけて複数のＬＥＤ３９ａが配置されてなる第２のＬＥＤ群３９ａと、ベースフィルム４１、第１の導電層４３、第２の導電層４６、第１のＬＥＤ群３７及び第２のＬＥＤ群３９を収容するように構成された長手方向に中空３４を有する樹脂体３３と、を備える。
【００２５】
よって、第１のＬＥＤ群３７の各ＬＥＤ３７ａと第２のＬＥＤ群３９の各ＬＥＤ３９ａとのそれぞれが照らす方向が逆向きになる。ロープライト１０が架設される場所においてロープライト１０で区切られる一方の領域と他方の領域とを全体として照明することができ、一方の領域のみを照明するということがない。
【００２６】
好ましいロープライト１０においては、第１のＬＥＤ群３７における複数のＬＥＤ３７ａのそれぞれ配置位置は、第２のＬＥＤ群３９における複数のＬＥＤ３９ａのそれぞれの対応する配置位置から長手方向にずれており、オフセットされている。よって、第１のＬＥＤ群３７の各ＬＥＤ３７ａと第２のＬＥＤ群３９の各ＬＥＤ３９ａとが、長手方向に沿って互い違いになるように配置されているため、各ＬＥＤ３７ａ，３９ａが照らす方向が互い違いとなる。ロープライト１０が架設される場所全体を互い違いに照らすことにより、できるだけ照明むらがないようにすることができる。
【００２７】
好ましいロープライト１０においては、ベースフィルム４１は、第１の領域４８と第２の領域４９とが互いに隣り合うよう長手方向に沿って区分けされており、第１の導電層４３は、第１の領域４８上に長手方向に間隔をあけて配置された平面視短冊状の複数の配線部５０と、第２の領域４９上に長手方向に間隔をあけて配置された平面視短冊状の複数の配線部５０と、を含んで構成され、第１の領域４８上の隣り合う配線部５０同士の間隔が、第２の領域４９上の隣り合う配線部５０同士の間隔と長手方向にずれている。これにより、第１の領域４８と第２の領域４９に各ＬＥＤ３７ａの両端を電気的に容易に接続して全体としてＬＥＤ３７を直列接続することができ、細いロープライトを提供することができる。このことは、第２の導電層４６においても当てはまり、第２の導電層４６は、第１の領域４８上に長手方向に間隔をあけて配置される平面視短冊状の複数の配線部５０と、第２の領域４９上に長手方向に間隔をあけて配置される平面視短冊状の複数の配線部５０と、を含んで構成され、第１の領域４８上の隣り合う配線部５０同士の間隔が、第２の領域４９上の隣り合う配線部５０同士の間隔と長手方向にずれている。これにより、第１の領域４８と第２の領域４９に各ＬＥＤ３９ａの両端を電気的に容易に接続して全体としてＬＥＤ３９を直列接続することができ、細いロープライトを提供することができる。
【００２８】
さらに第１の導電層４３が、第１の領域４８上と第２の領域４９上に跨いで配置される別の配線部としての第５の配線部５５を含んで構成されていることにより、ＬＥＤを多く取り付けることができ、照明の効率性を高めることができる。
【００２９】
図４と図５においては、第１の導電層４３の配線パターンと第２の導電層４６の配線パターンとが異なる形態を示しているが、これは必須ではなく、第１の導電層４３の配線パターンと第２の導電層４６の配線パターンとが同一であり、第１の導電層４３の配線パターンが第２の導電層４６の配線パターンに対して長手方向に位置ずれが生じている形態であってもよい。
【００３０】
ロープライト本体３０の本体３１の両端近傍について説明する。図６にロープライト本体３０の両端近傍を示す。図６では第１の導電層４３側を示しているが、第２の導電層４６側も同様であるため、第２の導電層４６側の図示は第１の導電層４３で代用する。図６に示されているように、ロープライト本体３０の本体３１の両端は、何れも、コネクター３２に接続されている。コネクター３２には、撚線などの導線８１の対が接続されている。一方のコネクター３２側では、フレキシブル基板３５の第１の導電層を構成する端の配線部５０に対して一方の導線８１ａが接続ワイヤー８２により接続されており、他方のコネクター３２側では、フレキシブル基板３５を構成する端の配線部５０に対して他方の導線８１ｂが接続ワイヤー８２により接続されている。同様に、図示を省略するが、他方のコネクター３２側では、フレキシブル基板３５の第２の導電層４６を構成する端の配線部５０に対して一方の導線８１ａが接続ワイヤー８２により接続されており、一方のコネクター３２側では、フレキシブル基板３５の第２の導電層４６を構成する端の配線部５０に対して他方の導線８１ｂが接続ワイヤー８２により接続されている。第１の導電層４３、第２の導電層４６を構成する端の配線部５０のコネクター３２に隣接する部位は、接続ワイヤー８２がジョイントし易いように略Ｌ字状の形状を有する。
【００３１】
本考案の実施形態に係るロープライト１０においては、複数のロープライト本体３０を直列に接続してその長さを延ばすことができ、ロープライト１０による照明装置１が所定長を有することができる。各ロープライト本体３０の両端には、導線８１の対の端が達していることにより、電源接続用コード２０により給電される。電源接続用コード２０から最も遠いロープライト本体３０のコネクター３２にはキャップ４０が螺合されて装着され、ロープライト本体３０全体が防水性を有する。
【００３２】
好ましいロープライト１０は、図２及び図６に示されているように、樹脂体３３の長手方向に沿って配線される導線８１の対をさらに備え、樹脂体３３が、対をなす導線８１を中空３４とは別の領域で埋設している。これにより、ロープライト本体３０を直列に容易に接続することができる。各導線８１は、図２に示されているように、第１の中空３４ａの各脇に配置されている。
【００３３】
好ましい照明装置１は、前述のロープライト（ここでは、前述のロープライト本体３０）と、ＡＣ電源に接続可能でありＡＣ電流をＤＣ電流に変換する整流器２３を介在している電源接続用コード２０と、を備え、ロープライト本体３０が電源接続用コード２０に接続可能に構成されている。よって、効率的にロープライト本体３０に電力を供給することができる。請求項１乃至５の構成からなるロープライトはロープライト本体３０の構成でもあるため、ロープライト１０はロープライト本体３０と呼んでいる。
【００３４】
図７には、図１に示すロープライト１０と電源接続用コード２０との接続用のコネクター２４，３２を示す端面図である。電源接続用コード２０側のコネクター２４は、図７の左側に示すように、穴９１の対と、周状の窪み部９３を外側に形成する嵌め込み部９２とを備えている。ロープライト１０側のコネクター３２は、図７の右側に示すように、張り出した電極９６の対と、円環状に出っ張りを有する凸部９８と、キャップ部９７とを備えており、凸部９８が窪み部９３に挿入され、キャップ部９７が嵌め込み部９２に螺合されて装着される。その際、窪み部９３には位置決め部位が設けられ、凸部９８と位置決めされる。
【００３５】
図８には本考案の実施形態に係るロープライト１０を用いた照明装置１の使用形態が模式的に示されている。図８に示すように、建物やトンネル内の構造物において、例えば、間隔をあけて立設している支柱１００，１００に対して、ロープライト１０を紐などで締結する。支柱１００，１００同士の間は、その全周方向に対して壁などがない場合、ロープライト１０によるＬＥＤからの光がその周囲全周に照射され、できるだけ明暗がない領域とすることができる。図８に示す矢印は、ＬＥＤ３７ａ，３９ａによる照明の方向を示すものである。
【００３６】
本考案の実施形態において、ロープライト１０における第１の導電層４３、第２の導線層４６のパターンは一例を示すものであり、必ずしも図示した形態に限定されるものではない。
【００３７】
本考案の実施形態に係るロープライト１０は、図３に示すように、フレキシブル基板３５上に各配線部５０が所定のパターンで形成され、ＬＥＤ３７や抵抗素子が搭載されると共に、絶縁層４４，４７が形成される。このようにして作製した中間体に対して、押し出し成形などにより樹脂部３３を形成しつつ、中間体を収容しつつ導線８１の対を埋設しながら、接続ワイヤー８２で導線８１と配線部５０とを電気的に接続することで、作製することができる。
【符号の説明】
【００３８】
１：照明装置
１０：ロープライト
２０：電源接続用コード
２１：プラグ
２２：コード本体
２３：整流回路
２４：コネクター
３０：ロープライト本体
３１：本体
３２：コネクター
３３：樹脂部
３４：中空
３５：フレキシブル基板
３６：第１の面
３７：第１のＬＥＤ群
３７ａ，３７ｂ，３７ｃ，３７ｄ：ＬＥＤ
３８：第２の面
３９：第２のＬＥＤ群
３９ａ：ＬＥＤ
３４ａ：第１の中空
３４ｂ：第２の中空
４０：キャップ
４１：ベースフィルム
４２：第１の接着層
４３：第１の導電層
４４：第１の絶縁層
４５：第２の接着層
４６：第２の導電層
４７：第２の絶縁層
４８：第１の領域
４９：第２の領域
５０：配線部
５１：第１の配線部
５２：第２の配線部
５３：第３の配線部
５４：第４の配線部
５５：第５の配線部
５５ａ：傾斜部
６１：第１の抵抗群
６１ａ，６１ｂ，６１ｃ：抵抗素子
７１：第１の配線部
７２：第２の配線部
７３ａ：抵抗素子
７３：第２の抵抗群
８１：導線
８１ａ：一方の導線
８１ｂ：他方の導線
８２：接続ワイヤー
【図１】
0003225070.tif 000003
【図２】
0003225070.tif 000004
【図３】
0003225070.tif 000005
【図４】
0003225070.tif 000006
【図５】
0003225070.tif 000007
【図６】
0003225070.tif 000008
【図７】
0003225070.tif 000009
【図８】
0003225070.tif 000010